(57)【要約】【課題】空気調和機の室外機の板金部品のネジ止めにおいて、合理化等による材料の薄肉に伴い締付けトルクが確保できずネジバカを発生させる課題を有していた。【解決手段】室外機本体を構成する外箱側板３と天板５にフランジ加工したネジ孔８を双方に形成させる。これにより、締結する互いの部品の双方に、フランジ加工したネジ孔を形成したもので、この構成によれば、部品材料の薄肉化が図れ、さらに部品点数の削減、組立工数を不要とし、締付けトルク向上させるという効果を奏する。【選択図】図２
2008256296.tif 000002
【特許請求の範囲】
【請求項１】
空気調和機の室外機本体を構成する基板、外箱側板、外箱前板、天板を複数個のネジで締付けて筐体を締結する構成において、締結する互いの部品の双方に、フランジ加工したネジ孔を形成したことを特徴とする空気調和機の室外機。
【請求項２】
前記双方に形成したフランジ加工したネジ孔の周縁部の一方が凹面形状または凸面形状に形成したことを特徴とする請求項１に記載の空気調和機の室外機。
【請求項３】
前記締結される内側に位置する部品に形成したフランジ加工したネジ孔の周縁にテーパを形成したことを特徴とする請求項１に記載の空気調和機の室外機。
【発明の詳細な説明】
【技術分野】
【０００１】
本発明は、板金部品をネジで締結する空気調和機の室外機に関するものである。
【背景技術】
【０００２】
従来の分離型空気調和機の室外機における板金部品の締結構成としては、締結する双方の板金部品の内側に位置する部品にフランジ加工を形成したネジ孔を設け、外側に位置する部品には、ネジを挿通するネジ外形より大きいネジ孔を形成した構成が知られている。
【０００３】
締結する双方の内側に位置する板金部品の板厚が薄い（例えば０．５ｍｍ以下）の場合は、板厚の厚い別部品にフランジ加工を形成し、溶接等の手段で取り付け締付けトルクを確保させる構成にしている（例えば、特許文献１参照）。
【０００４】
図９は、従来の空気調和機の室外機の右側斜視図である。図９に示されるように、空気調和機の室外機１の筐体は、基板２、外箱側板３、外箱前板４、天板５を複数個のネジ６によりネジ止めされ形成される。
【０００５】
図１０、図１１は、それぞれ従来の室外機の一例における右側裏面斜視図と要部断面図である。図１０、図１１に示されるように、外箱側板３と天板５とをネジ止めする構成として、天板５には締め付け用のネジ６の外形寸法Ａより大きなネジ孔７を形成し、内側に位置する外箱側板３には、ネジ６の外形寸法Ａより小さいフランジ加工したネジ孔８を形成している。
【０００６】
図１２、図１３は、それぞれ従来の室外機の別の一例における右側裏面斜視図と要部断面図である。図１２、図１３に示されるように、外箱側板３が薄肉の場合は、ネジ６の外形寸法Ａより小さいフランジ加工したネジ孔８を形成した別部品の金具９を外箱側板３の内側に溶接で固定し、外箱側板３と天板５にはネジ６の外形寸法Ａより大きなネジ孔７を形成している。
【特許文献１】特開平５−１０６８７０号公報
【発明の開示】
【発明が解決しようとする課題】
【０００７】
しかしながら、上記従来の構成では、締結される内側の板金部品の板厚を筐体強度限界まで薄肉化した場合、ネジの締付けトルクが減少しネジバカを発生させる可能性があった。また、締付けトルクを確保するため、板厚の厚い部品にフランジ加工を形成した別部品を溶接等の手段で取り付けなくてはならないため、部品点数、組立工数が増加するという課題を有していた。
【０００８】
本発明は上記課題を解決するためになされたものであり、別部品を使用せずに締付けトルクを向上させることができる空気調和機の室外機を提供することを目的とする。
【課題を解決するための手段】
【０００９】
上記課題を解決するために、本発明の空気調和機の室外機は、締結する互いの部品の双方に、フランジ加工したネジ孔を形成するものである。
【発明の効果】
【００１０】
本発明の空気調和機の室外機によれば、部品材料の薄肉化が図れ、さらに部品点数の削減、組立工数を不要とし、締付けトルク向上させることができる。
【発明を実施するための最良の形態】
【００１１】
第１の発明は、ネジで締結する双方の板金部品にフランジ加工を形成するものである。これにより、締め付けトルクを向上させるための別部品の削減、溶接による組立工数を不要とし、薄肉部品の締め付けトルクを向上させることができる。
【００１２】
第２の発明は、雨水や小動物が進入しないよう双方の板金部品に隙間を設けないように、外側の板金部品に設けたフランジ加工したネジ孔の下端部が内側の板金部品の面に接触または２ｍｍ程度の空間を設ける構成とし、外側の板金部品のフランジ加工したネジ孔の周縁部を凸面形状とするものである。また、外側の板金部品を平面とし、内側の板金部品のフランジ加工した周縁部を凹面形状としてもよい。
【００１３】
これにより、ネジ締結する周縁部以外は双方の板金部品が接触し、隙間がない構成となり、双方に形成したフランジ加工したネジ孔が連続して構成されるので、ネジの接触面を長くすることが可能となり、締め付けトルクを向上させることができる。
【００１４】
第３の発明は、内側の板金部品のネジ孔の周縁にネジを誘導するテーパを形成したもので、外側の板金部品に形成したフランジ加工したネジ孔の下端部を内側の板金部品に形成したフランジ加工したネジ孔の先端部中心にネジを容易に孔合せできるため、締結作業を向上させることができる。
【００１５】
以下、本発明の実施の形態について、図面を参照しながら説明する。なお、この実施の形態によって本発明が限定されるものではない。
【００１６】
（実施の形態１）
図１、図２はそれぞれ、本発明の実施の形態１における空気調和機の室外機の右側斜視図、要部断面図である。図１、図２において、図９から図１３と同じ構成要素については同じ符号を用い、説明を省略する。
【００１７】
図１、図２において、空気調和機の室外機１は、図示しない接続配管、電源接続線、信号接続線等を介して図示しない室内機と接続され、室内の冷暖房を行う。
【００１８】
図１に示されるように、室外機１の筐体は、基板２と、基板２の前面に設けられる樹脂成型の吹出しグリル１０と、吹出しグリル１０を固定する外箱前板４と、左右の側面に配置される外箱側板３と、基板２と対向した天板５とで形成される。
【００１９】
以下、本実施の形態における室外機１の筐体の固定方法について説明する。
【００２０】
基板２には、外箱側板３と外箱前板４とがネジ６にて締結される。締結の内側に位置する基板２にはネジ６の外形寸法Ａより小さいフランジ加工したネジ孔８を形成し、外側に位置する外箱側板３および外箱前板４にはネジ６の外形寸法Ａより大きなネジ孔７を形成し、ネジ６により締結される。
【００２１】
薄肉で構成された外箱側板３と天板５の締結は双方にフランジ加工したネジ６の外形寸法Ａより小さいネジ孔８を形成しネジ６にて締結することにより筺体を構成する。
【００２２】
以上のように、本実施の形態においてネジで締結する双方の板金部品にフランジ加工を形成するもので、締め付けトルクを向上させるための別部品の削減、溶接による組立工数を不要とし、薄肉部品の締め付けトルクを向上させることができる。
【００２３】
（実施の形態２）
図３〜図６はそれぞれ、本発明の実施の形態２における室外機の右側斜視上部拡大図、要部断面図、右側裏面斜視図、要部断面図である。図３〜図６において、図１、図２、図９〜図１３と同じ構成要素については同じ符号を用い、説明を省略する。
【００２４】
図３〜図６において、外箱側板３と天板５は互いに接触し、外箱側板３と天板５の隙間から室外機１の内部に雨水や小動物が侵入しないように構成する。外箱側板３に形成したネジ６の外形寸法Ａより小さいフランジ加工したネジ孔８の前方部１１に、天板５に形成したネジ６の外形寸法Ａより小さいフランジ加工したネジ孔８の後方部１２は接触または２ｍｍ程度の空間を設ける構成にし、天板５のネジ孔８の周縁部１３を凸面形状１４に形成した構成にする。
【００２５】
また、天板５のネジ孔８の周縁部１３を平面とし、外箱側板３のネジ孔８の周縁部１５を凹面形状１６に形成し構成するものも同様である。
【００２６】
以上のように、本実施の形態において雨水や小動物が進入しないよう双方の板金部品に隙間を設けない構成とするため、外側の板金部品に設けたフランジ加工したネジ孔の下端部が内側の板金部品の面に接触または２ｍｍ程度の空間を設ける構成とし、外側の板金部品のフランジ加工した周縁部を凸面とした。
【００２７】
また、外側の板金部品を平面にし、内側の板金部品のフランジ加工した周縁部を凹面した構成でも同様の効果が得られる。ネジ締結する周縁部以外は双方の板金部品は接触し、隙間がない構成とし、双方に形成したフランジ加工したネジ孔が連続して構成されることにより、ネジの接触面を長くすることが可能となり締め付けトルクを向上させることができる。
【００２８】
（実施の形態３）
図７、図８は、本発明の実施の形態３における空気調和機の室外機の要部断面図である。図７、図８において、図１、図２、図３〜図６、図９〜図１３と同じ構成要素については同じ符号を用い、説明を省略する。
【００２９】
図７、図８において、締結される内側に位置する外箱側板３に形成したフランジ加工したネジ孔８の先端部１７の周縁にテーパ形状１８を形成した構成となっている。
【００３０】
以上のように、本実施の形態において内側の板金部品のネジ孔の周縁にネジを誘導するテーパを形成したもので、外側の板金部品に形成したフランジ加工したネジ孔の下端部を内側の板金部品に形成したフランジ加工したネジ孔の先端部中心にネジを容易に孔合せできるため、締結作業を向上させることができる。
【産業上の利用可能性】
【００３１】
以上のように、本発明は空気調和機の室外機に適用できるもので、ネジで締結する双方の板金部品にフランジ加工を形成するもので、締め付けトルクを向上させるための別部品の削減、溶接による組立工数を不要とし、薄肉部品の締め付けトルクを向上させることができる。
【図面の簡単な説明】
【００３２】
【図１】本発明の実施の形態１による空気調和機の室外機の右側斜視図
【図２】本発明の実施の形態１による室外機の要部断面図
【図３】本発明の実施の形態２による室外機の右側斜視上部拡大図
【図４】本発明の実施の形態２による室外機の要部断面図
【図５】本発明の実施の形態２による室外機の右側裏面斜視図
【図６】本発明の実施の形態２による室外機の要部断面図
【図７】本発明の実施の形態３による室外機の要部断面図
【図８】本発明の実施の形態３による室外機の要部断面図
【図９】従来の空気調和機の室外機の右側斜視図
【図１０】従来の室外機の右側裏面斜視図
【図１１】従来の室外機の要部断面図
【図１２】従来の室外機の右側裏面斜視図
【図１３】従来の室外機の要部断面図
【符号の説明】
【００３３】
１  室外機
２  基板
３  外箱側板
４  外箱前板
５  天板
６  ネジ
７、８  ネジ孔
９  金具
１０  吹出しグリル
１１  前方部
１４  凸面形状
１６  凹面形状
１８  テーパ形状
【図２】
2008256296.tif 000003
【図４】
2008256296.tif 000004
【図６】
2008256296.tif 000005
【図７】
2008256296.tif 000006
【図８】
2008256296.tif 000007
【図１１】
2008256296.tif 000008
【図１３】
2008256296.tif 000009
【図１】
2008256296.tif 000010
【図３】
2008256296.tif 000011
【図５】
2008256296.tif 000012
【図９】
2008256296.tif 000013
【図１０】
2008256296.tif 000014
【図１２】
2008256296.tif 000015